(57)【要約】    【課題】増設接点装置の電磁開閉装置への鎖錠および解錠を部品点数を増やすことなく、しかも簡単な作業で行えるようにする。    【解決手段】増設接点装置１３が嵌め込みにより取り付けられる電磁開閉装置において、前記増設接点装置１３のフレーム１４に前記電磁開閉装置１から増設接点装置１３を取り外そうとする動きをロックする鎖錠片２３を一体に形成することにより、増設接点装置１３と電磁開閉装置１との鎖錠に別部品を不要とし、増設接点装置１３と電磁開閉装置１との解錠を簡単に行えるようにする。【選択図】        図１
2005203160.tif 000002
【特許請求の範囲】
【請求項１】
増設接点装置が嵌め込みにより取り付けられる電磁開閉装置において、前記増設接点装置のフレームに前記電磁開閉装置から増設接点装置を取り外そうとする動きをロックする鎖錠片を一体に形成したことを特徴とする電磁開閉装置。
【請求項２】
前記鎖錠片を、増設接点装置のフレームに薄肉部を介して折り曲げ可能に一体に形成したことを特徴とする請求項１に記載の電磁開閉装置。
【請求項３】
前記鎖錠片を、増設接点装置のフレームと電磁開閉装置のフレームとの間で電磁開閉装置からの増設接点装置の取り外しをロックする鎖錠位置と、電磁開閉装置からの増設接点装置の取り外しが行える解錠位置に移動可能としたことを特徴とする請求項２に記載の電磁開閉装置。
【請求項４】
前記鎖錠片あるいは前記増設接点装置のフレームに鎖錠片を鎖錠位置に係止させる係合部を形成したことを特徴とする請求項３に記載の電磁開閉装置。
【請求項５】
前記鎖錠片に鎖錠片を鎖錠位置から解錠位置に解除させる穴部あるいは突起部を形成したことを特徴とする請求項３あるいは４に記載の電磁開閉装置。
【発明の詳細な説明】
【技術分野】
【０００１】
本発明は、必要により増設接点装置を追加して取り付けられるようにした電磁接触器や電磁継電器などの電磁開閉装置に関する。
【背景技術】
【０００２】
この種の電磁開閉装置は増設接点装置なしでも当然使用可能なものであるが、必要に応じて予め組み合わせ可能として用意された種々の接点構成の増設接点装置を取り付けて使用する。ところが、この増設接点装置には標準的に用意されたもの以外に特殊仕様の要求があり、その場合には増設接点装置を取り外して開閉装置本体のみで使用したり、他の増設接点装置と組合せて使用したりすることはできない。そこで、このような場合に、従来はその旨を記載した銘板を貼り付けたり、増設接点装置と開閉装置本体との境目に封印シールを貼り付けたりして分離を禁止していた。
しかしながら、銘板や封印シールでは誤って増設接点装置と開閉装置本体とを分離させてしまうことが避けられず、本体をそのまま、あるいは他の組合せで使用して動作不能などの異常を起こすという問題があった。
【０００３】
そこで、特許文献１に記載された電磁開閉装置が提案されている。これは、増設接点装置のフレームと電磁開閉装置の上部フレームとの間に別部品からなる鎖錠片を挟み込みようにしたものである。前記鎖錠片は、可撓性のある熱可塑性樹脂から構成され、角柱状の本体の前面に左右一対の舌状の弾性突起が張り出した構造となっており、増設接点装置のフレームと電磁開閉装置の上部フレームとの間に前記鎖錠片を挟み込むことにより、増設接点装置を電磁開閉装置から取り外そうとする動きを鎖錠片でロックして、増設接点装置の電磁開閉装置からの不用意な分離を防止するようにしたものである。
【特許文献１】特開平６−７６７１５号公報
【発明の開示】
【発明が解決しようとする課題】
【０００４】
前記した従来構造の電磁開閉装置において、増設接点装置は基本的には交換可能な部品であるので、故障や仕様の変更を行いたい場合には、増設接点装置のみを交換できることが望ましい。
しかしながら、従来構造の電磁開閉装置では、増設接点装置と電磁開閉装置との間に鎖錠片を装着して増設接点装置と電磁開閉装置とが分離できないようにしたものであるために、故障や仕様の変更を行いたいときには、電磁開閉装置全体を交換しなければならず、配線工数、電磁開閉装置のコストが増設接点装置の数倍以上になってしまうという欠点があった。また、このような鎖錠片付きのものは一般的に顧客側では組立てが困難であるために、オーダー品になってしまい、緊急時に即入手することができないものである。
また、前記した従来構造の電磁開閉装置において、増設接点装置の鎖錠片側の固定接点を取り外し、ドライバーなどの先端で鎖錠片の弾性突起を変形させて鎖錠片を取り除くことにより、増設接点装置を電磁開閉装置から取り外すことは可能であるが、固定接点を取り外すなど上記鎖錠片の取り外し作業が難しく、電磁開閉装置を熟知した者でなければ装置の破損や部品を紛失してしまう可能性が高く、通常のものには困難な作業である。
【０００５】
更に、別部品からなる鎖錠片を増設接点装置と電磁開閉装置との間に装着するために、部品点数も多くなるという欠点を有するものである。
そこで、本発明の課題は、増設接点装置の電磁開閉装置への鎖錠および解錠を部品点数を増やすことなく、しかも簡単な作業で行えるようにした電磁開閉装置を提供することにある。
【課題を解決するための手段】
【０００６】
上記課題を解決するために、本発明によれば、増設接点装置が嵌め込みにより取り付けられる電磁開閉装置において、前記増設接点装置のフレームに前記電磁開閉装置から増設接点装置を取り外そうとする動きをロックする鎖錠片を一体に形成するようにする。
また、前記電磁開閉装置において、前記鎖錠片を増設接点装置のフレームに薄肉部を介して折り曲げ可能に一体に形成するようにする。
その場合に、前記鎖錠片を、増設接点装置のフレームと電磁開閉装置のフレームとの間で電磁開閉装置からの増設接点装置の取り外しをロックする鎖錠位置と、電磁開閉装置からの増設接点装置の取り外しが行える解錠位置に移動可能とするようにする。
また、前記電磁開閉装置において、前記鎖錠片あるいは前記増設接点装置のフレームに鎖錠片を鎖錠位置に係止させる係合部を形成する、あるいは、前記鎖錠片に鎖錠片を鎖錠位置から解錠位置に解除させる穴部あるいは突起部を形成するようにしてもよい。
【発明の効果】
【０００７】
この発明によれば、増設接点装置と電磁開閉装置との鎖錠に別部品が不要になるとともに、増設接点装置と電磁開閉装置との解錠が簡単に行えるようになる。
【発明を実施するための最良の形態】
【０００８】
以下、図１〜図４に基づいて、電磁開閉装置である電磁接触器におけるこの発明の実施の形態について説明する。ここで、図１は増設接点装置を取り付けた電磁接触器の縦断面図、図２（ａ）は増設接点装置の側面図、（ｂ）は平面図、（ｃ）は正面図、（ｄ）は断面図、図３は図１の分解斜視図、図４は電磁接触器本体に増設接点装置を取り付ける方法を説明する側面図である。
まず、図１において、電磁開閉装置である電磁接触器１の固定鉄心２は下部フレーム３に固定され、これに対向する可動鉄心４には上部フレーム５にスライド自在に案内された接点支え６が連結されている。固定鉄心２に装着された電磁コイル７と可動鉄心４との間には、バックスプリング８が介挿されている。接点支え６には可動接点９が挿入され、接触スプリング１０により保持されている。可動接点９に対向して固定接点１１が上部フレーム５に固定され、可動接点９と固定接点１１とは接点カバー１２で覆われている。
【０００９】
一方、増設接点装置１３のフレーム１４にスライド自在に案内された滑動枠１５に可動接点１６が挿入され、接触スプリング１７で保持されている。可動接点１６に対向して、固定接点１８がフレーム１４に固定されている。図３により後で説明するように、増設接点装置１３はフレーム１４が上部フレーム５に嵌め込まれて電磁接触器１の頭部に図示の通り取り付けられ、滑動枠１５は接点支え６に一体に連結されている。
このような構成の下で、電磁コイル７が励磁されて可動鉄心４が固定鉄心２に吸着されると、接点支え６と滑動枠１５とはこれに連動して図の右に移動し、可動接点９及び１６は固定接点１１及び１８にそれぞれ接触する。電磁コイル７の励磁が解かれると、可動鉄心４はバックスプリング８の力により図示状態に復帰する。なお、図１の電磁接触器１及び増設接点装置１３は共に１ａ接点（常開接点１個）であるが、ｂ接点（常閉接点）を追加するなど種々の接点構成が採用できることは勿論である。
【００１０】
次に、図３により電磁接触器１と増設接点装置１３との連結部の構成について説明する。図３において、電磁接触器１の上部フレーム５からは接点支え６の頭部が突出しており、この頭部には凸形の連結溝６ａが設けられている。また、上部フレーム５には連結溝６ａを囲むように、４個の逆Ｌ形のフック１９が一体に設けられている。これらのフック１９の内、図３の上側の２個のフック１９は接点支え６に近い側が閉塞され、ストッパ面１９ａが形成されている。更に、上部フレーム５には抜け止め用の角形の凹部５ａが設けられている。
一方、増設接点装置１３の滑動枠１５の下端部には連結溝６ａに嵌合する連結突部１５ａが一体に設けられ、またこれを囲むようにフレーム１４にはフック１９と噛み合う４個のフック２０が一体に設けられている。フレーム１４の図３の下側の壁にはフック１９を逃げる切欠２２が設けられている。更に、フレーム１４には、凹部５ａに係合する爪２１ａを有するアーム２１が一体に設けられている。
【００１１】
このような連結部の構成において、増設接点装置１３を電磁接触器１に取り付けるには、増設接点装置１３の図３の下側のフック２０が電磁接触器１の接点支え６の頭部の両側に位置するように、増設接点装置１３を電磁接触器１に押し当て（図４の破線位置）、図３及び図４の矢印Ａ方向にスライドさせる。これにより、滑動枠１５の連結突部１５ａが接点支え６の連結溝６ａに嵌入し、同時にフック１９と２０とが噛み合って図１の取付状態となる。
その際、図３の上側のフック２０の端面２０ａがフック１９のストッパ面１９ａに突き当たって位置決めが行われ、また爪２１ａが弾性的に凹部５ａに係合して矢印Ｂ方向への抜け止めが行われる。このままの状態から増設接点装置１３を取り外すには、連結アーム２１を弾性的に引き上げて爪２１ａを凹部５ａから外し、増設接点装置１３を矢印Ｂ方向に抜き出す。
【００１２】
ここで、図１において、上に述べた増設接点装置１３の取り外しができないように、鎖錠片２３が設けられている。この鎖錠片２３は図２に示すように、可撓性のある樹脂から構成されている増設接点装置のフレーム１４に薄肉部である基部２３ａを介して折り曲げ可能に一体に形成されている。
そして、前記鎖錠片２３は、基部２３ａを介して、増設接点装置１３のフレーム１４と電磁接触器１の上部フレーム５との間に位置して電磁接触器１からの増設接点装置１３の取り外しをロックする鎖錠位置、すなわち図２（ｄ）に点線で示す鎖錠位置と、電磁接触器１からの増設接点装置１３の取り外しが行える図２（ｄ）に実線で示す解錠位置とに移動可能である。
また、前記鎖錠片２３には、ドライバー等の治具を引っ掛けて鎖錠片２３を鎖錠位置から解錠位置に解除させる穴部２３ｂと、鎖錠片２３の鎖錠位置で鎖錠片２３をフレーム１４に係合させる係合部２３ｃ（図２（ｃ）参照）が鎖錠片２３の両側に形成されている。
【００１３】
ここで、通常の使用状態で増設接点装置１３を鎖錠片２３でロックする必要がない場合には、鎖錠片２３を図２（ｄ）の実線で示す解錠位置で使用する。
また、前記鎖錠片２３によりロックが必要な場合は、鎖錠片２３を図２（ｄ）の点線で示すように基部２３ａを基点にして折り曲げ、鎖錠片２３の先端部２３ｄを図３に示す上部フレーム５のフック１９の端面１９ｂに突き当てるようにする。
このように鎖錠片２３が鎖錠位置に折り曲げられた状態では、増設接点装置１３を電磁接触器１から取り外そうとする矢印Ｂ方向の動きが鎖錠片２３でロックされる。また、鎖錠片の先端部２３ｄが上部フレーム５のフック１９の端面１９ｂに当接するとともに、鎖錠片２３の穴部２３ｂが形成されている外面が上部フレーム５の上面に当接しているので、鎖錠片２３が容易に解錠位置に移動することはない。よって、増設接点装置１３は不用意に電磁接触器１から分離されることがない。
【００１４】
また、前記鎖錠片２３を折り曲げた鎖錠位置で、鎖錠片２３に設けた係合部２３ｃ（図２（ｃ）参照）をフレーム１４に係合させるようにすれば、鎖錠片２３を鎖錠位置に強固に保持することができる。
なお、前記鎖錠片２３は、増設接点装置１３を電磁接触器１に取り付ける前に折り曲げてもよいし、増設接点装置１３を電磁接触器１に取り付けた後に折り曲げても良い。
また、接点の交換など必要に迫られて増設接点装置１３を取り外したい場合には、鎖錠片２３に設けた穴部２３ｂにドライバー等の治具の先端を差し込み、鎖錠片２３を鎖錠位置から解錠位置にこじあけることにより、鎖錠片２３のロックを解除することができる。
上述した実施の形態によれば、必要に応じて鎖錠片２３の鎖錠及び解除を部品点数を増やすことなく、しかも鎖錠片２３の鎖錠及び解錠作業も顧客側で簡単に間違いなく行うことができるので、即入手可能な標準品として扱うこともできるようになる。
【００１５】
なお、上記実施例では、鎖錠片２３を上部フレーム５のフック１９の端面１９ｂに突き当てるようにしたが、上部フレームに新たにストッパを設けるようにしてもよい。
また、本実施例では、鎖錠片を鎖錠位置に係止させるために、鎖錠片に係合部２３ｃを形成するようにしたが、係合部を増設接点装置あるいは電磁開閉装置のフレーム側のみ、あるいは鎖錠片とフレーム側の両方に形成するようにしてもよい。更に、ドライバー等の治具を引っ掛けて鎖錠片を解除する引っ掛け部として鎖錠片に穴部を設けるようにしたが、鎖錠片に突起部あるいは段差部を形成して鎖錠片を鎖錠位置から解錠位置に解除できるようにしてもよい。
【図面の簡単な説明】
【００１６】
【図１】本発明の実施の形態を示す増設接点装置を取り付けた電磁接触器の縦断面図
【図２】図１に示す増設接点装置であり、（ａ）は側面図、（ｂ）は平面図、（ｃ）は正面図、（ｄ）は断面図
【図３】図１の分解斜視図
【図４】電磁接触器本体に増設接点装置を取り付ける方法を説明する側面図
【符号の説明】
【００１７】
１      電磁開閉装置
１３    増設接点装置
１４    フレーム
２３    鎖錠片
２３ｂ  穴部
２３ｃ  係合部
【図１】
2005203160.tif 000003
【図２】
2005203160.tif 000004
【図３】
2005203160.tif 000005
【図４】
2005203160.tif 000006